(57)【要約】  子供に対する安全性があり、かつ高齢者に対する利便性がある薬剤の貯蔵および分配包装が、分配基材と裏あて基材の間に挟持された、ブリスタ部分およびブロック基材を備える。薬剤にアクセスする手順は成人が理解し遂行するのが容易であるが、ほとんどの子供には困難である。ブリスタ部分は基材層およびブリスタ層を含む。ブリスタ層は、薬剤を保持するように設計された物品受けブリスタを備える。分配基材は、分配基材のブリスタ受け器を有する。ブリスタ受け器は、分配基材を通って延出するようにブリスタと協働するように構成される。ブロック基材は、最初にブリスタの一部分を覆うゲートを備える。ゲートは、薬剤を取り出すために、そこから離れて移動または摺動されなければならない。使用者は、ゲートに力を加え、ゲートを裏あて基材と分配基材の間で平行移動させる。
2009511207.tif 000002
【特許請求の範囲】
【請求項１】
薬剤（Ｍ）を収容するための薬剤の貯蔵および分配包装（１０）であって、
（ａ）ブリスタ部分であって、
（ｉ）基材層周縁部（１２０）、基材層外側面（１３０）、および基材層内側面（１４０）を有する基材層（１１０）と、
（ｉｉ）ブリスタ層周縁部（１６０）、ブリスタ層外側面（１７０）、ブリスタ層内側面（１８０）を有し、その中に形成されたブリスタ周縁部（１９６）を有する物品受けブリスタ（１９０）を備え、前記物品受けブリスタ（１９０）が前記薬剤（Ｍ）を保持するように設計されたブリスタ層（１５０）と、
を有し、
（ｉｉｉ）前記基材層内側面（１３０）の表面積の少なくとも５パーセントが前記ブリスタ層内側面（１８０）に接合され、それによって前記薬剤（Ｍ）を前記物品受けブリスタ（１９０）内に密封する、ブリスタ部分と、
（ｂ）分配基材周縁部（２０１）、分配基材内側面（２１０）、および分配基材外側面（２２０）を有する分配基材（２００）であって、
（ｉ）前記物品受けブリスタ（１９０）の一部分が前記分配基材内側面（２１０）から前記分配基材（２００）を通って前記分配基材外側面（２２０）に延出するように、前記ブリスタ部分（１００）と協働するように構成される分配基材のブリスタ受け器（２３０）と、
（ｉｉ）分配基材始動領域（２４０）とを有するように形成される分配基材（２００）と、
（ｃ）ブロック基材周縁部（３０１）、ブロック基材前面（３１０）、およびブロック基材背面（３２０）を有するブロック基材（３００）であって、ゲート自由縁（３４３）およびゲート保持縁（３４８）を備えるゲート周縁部（３４２）を有するゲート（３４０）を備えるブロック基材（３００）と、
（ｄ）裏あて基材周縁部（４０１）、裏あて基材内側面（４１０）、および裏あて基材外側面（４２０）を有する裏あて基材（４００）であって、
（ｉ）裏あて基材の始動領域（４３０）と、
（ｉｉ）物品分配領域周縁部（４４２）を有する物品分配領域（４４０）であって、前記ブリスタ部分（１００）と協働するように構成された物品分配領域（４４０）とを有するように形成された裏あて基材（４００）とを備え、
（ｅ）前記分配基材のブリスタ受け器（２３０）、前記物品受けブリスタ（１９０）、および前記物品分配領域（４４０）が実質的に整列するように、前記ブリスタ部分のブリスタ層（１５０）が前記分配基材内側面（２１０）に隣接し、前記ブロック基材前面（３１０）が前記ブリスタ部分の基材層（１１０）に隣接し、前記裏あて基材内側面（４１０）が前記ブロック基材背面（３２０）に隣接し、前記薬剤（Ｍ）の分配が、第１の力を前記ゲート（３４０）の一部分に加えることを必要とし、その結果前記ゲート自由縁（３４３）が摺動して前記ゲート保持縁（３４８）に向かって前記物品分配領域（４４０）を通過し、第２の力を前記物品受けブリスタ（１９０）に加えることにより前記薬剤（Ｍ）が前記基材層（１１０）を押し破り、前記ゲート（３４０）の移動によって形成された前記ブロック基材（３００）の開口を通過し、前記物品分配領域（４４０）を出るように、前記ゲート（３４０）が最初に前記物品分配領域（４４０）と前記物品受けブリスタ（１９０）との間に配置されて、前記薬剤の意図しない分配を防止する、薬剤（Ｍ）を収容するための薬剤の貯蔵および分配包装（１０）。
【請求項２】
前記ゲート（３４０）が、前記第１の力によって前記包装（１０）の平面から移動されたとき、前記ゲート（３４０）を折りたたみ促進特性（３５０）の周りで折りたたみを開始させる折りたたみ促進特性（３５０）を有し、それによって前記ゲート保持縁（３４８）の周りで前記物品受けブリスタ（１９０）から離れて容易に旋回される旋回突起（３５２）を形成し、前記物品受けブリスタ（１９０）を超えて前記ゲート自由縁（３４３）を引き、前記薬剤（Ｍ）を分配可能にする、請求項１に記載の子供に対する安全性がある薬剤の貯蔵および分配包装（１０）。
【請求項３】
前記ゲート（３４０）の前記部分に前記第１の力を加えることにより、前記ゲート（３４０）の一部分が前記分配基材始動領域（２４０）を通って延び、前記ゲート（３４０）が前記物品分配領域（４４０）へのアクセスを阻止しないように前記ゲート自由縁（３４３）を動かす、請求項１に記載の子供に対する安全性がある薬剤の貯蔵および分配包装（１０）。
【請求項４】
前記分配基材始動領域（２４０）が、前記第１の力を加えることにより前記ゲート（３４０）の一部分が前記分配基材始動領域（２４０）を通って延出するように、前記ゲート（３４０）と協働するように寸法を決められた、前記分配基材（２００）に形成される空隙を画成する、請求項３に記載の子供に対する安全性がある薬剤の貯蔵および分配包装（１０）。
【請求項５】
前記分配基材始動領域（２４０）が、分配基材（２００）と一体の部分であり、分配基材始動領域周縁部（２４２）、および前記分配基材（２００）に前記分配基材始動領域（２４０）を固定し、前記ゲート（３４０）の一部分が押されて前記分配基材始動領域（２４０）によって以前に占有された前記分配基材（２００）の空隙を通るとき、その周りを前記分配基材始動領域（２４０）が旋回できるラインとして働く、分配基材始動領域保持縁（２４４）である部分を有する、請求項３に記載の子供に対する安全性がある薬剤の貯蔵および分配包装（１０）。
【請求項６】
前記分配基材始動領域周縁部（２４２）が、前記第１の力が所定の大きさに達するまで、最初に前記分配基材始動領域（２４０）を前記分配基材（２００）に固定し、前記剥離縁（２４３）を前記分配基材（２００）の残りの部分から剥離させ、前記分配基材始動領域保持縁（２４４）の周りを旋回させ、それによって前記分配基材始動領域（２４０）によって以前に占有された前記分配基材（２００）の空隙を前記ゲート（３４０）の一部分が通ることを可能にする、分配基材始動領域破断縁（２４３）である部分を備える、請求項５に記載の子供に対する安全性がある薬剤の貯蔵および分配包装（１０）。
【請求項７】
前記ゲート（３４０）の前記部分に前記第１の力を加えることにより、前記ゲート（３４０）の一部分が前記裏あて基材始動領域（４３０）を通って延び、前記ゲート（３４０）が前記物品分配領域（４４０）へのアクセスを阻止しないように前記ゲート自由縁（３４３）を動かす、請求項１に記載の子供に対する安全性がある薬剤の貯蔵および分配包装（１０）。
【請求項８】
前記第１の力を加えることにより、前記ゲート（３４０）の一部分が前記裏あて基材始動領域（４３０）を通って延出するように、前記裏あて基材始動領域（４３０）が前記ゲート（３４０）と協働するように寸法を決められた前記裏あて基材（４００）に形成された空隙を画成する、請求項７に記載の子供に対する安全性がある薬剤の貯蔵および分配包装（１０）。
【請求項９】
前記裏あて基材始動領域（４３０）が、前記裏あて基材（４００）と一体の部分であり、裏あて基材始動領域周縁部（４３２）、および前記裏あて基材（４００）に前記裏あて基材始動領域（４３０）を固定し、前記ゲート（３４０）の一部分が押されて前記裏あて基材始動領域（４３０）によって以前に占有された前記裏あて基材（４００）の空隙を通るとき、その周りを前記裏あて基材始動領域（４３０）が旋回できるラインとして働く、裏あて基材始動領域保持縁（４３４）である部分を有する、請求項７に記載の子供に対する安全性がある薬剤の貯蔵および分配包装（１０）。
【請求項１０】
前記裏あて基材始動領域周縁部（４３２）が、前記第１の力が所定の大きさに達するまで、最初に前記裏あて基材始動領域（４３０）を前記裏あて基材（４００）に固定し、前記剥離縁（４３３）を前記裏あて基材（４００）の残りの部分から剥離させ、前記裏あて基材始動領域保持縁（４３４）の周りを旋回させ、それによって前記裏あて基材始動領域（４３０）によって以前に占有された前記裏あて基材（４００）の空隙を前記ゲート（４３０）の一部分が通ることを可能にする、裏あて基材始動領域破断縁（４３３）である部分を備える、請求項９に記載の子供に対する安全性がある薬剤の貯蔵および分配包装（１０）。
【請求項１１】
前記第１の力を加えることにより、前記薬剤（Ｍ）が分配のために前記物品分配領域（４４０）を通過できるように、前記裏あて基材分配領域（４４０）が前記薬剤（Ｍ）と協働するように寸法を決められた前記裏あて基材（４００）に形成された空隙を画成する、請求項１に記載の子供に対する安全性がある薬剤の貯蔵および分配包装（１０）。
【請求項１２】
前記裏あて基材分配領域（４４０）が、前記裏あて基材（４００）の強度を選択的に低下させる分離ライン（４４４）を有する前記裏あて基材（４００）と一体の部分であり、それによって前記薬剤（Ｍ）が前記第２の力を受けた場合に、前記薬剤（Ｍ）が前記分離ライン（４４４）に沿って前記裏あて基材（４００）から前記物品分配領域（４４０）の一部分を離脱させることが可能になり、それによって前記薬剤（Ｍ）が分配のために前記物品分配領域（４４０）を通過可能になる、請求項１に記載の子供に対する安全性がある薬剤の貯蔵および分配包装（１０）。
【請求項１３】
前記分離ライン（４４４）が実質的に前記物品分配領域周縁部（４４２）に配置された、請求項１２に記載の子供に対する安全性がある薬剤の貯蔵および分配包装（１０）。
【請求項１４】
前記分離ライン（４４４）が打抜き、穿孔、窪み、切取り線、および脆弱化された破断線からなる群のうちの１つまたは複数を備える、請求項１３に記載の子供に対する安全性がある薬剤の貯蔵および分配包装（１０）。
【請求項１５】
前記ブロック基材（３００）および前記裏あて基材（４００）が、前記物品受けブリスタ（１９０）の前記薬剤（Ｍ）を押す人の指によって容易に破断できない材料および厚さで構成される、請求項１に記載の子供に対する安全性がある薬剤の貯蔵および分配包装（１０）。
【請求項１６】
前記分配基材始動領域（２４０）および前記裏あて基材始動領域（４３０）が、人の指の先端の寸法と協働するように寸法を決められた、請求項１に記載の子供に対する安全性がある薬剤の貯蔵および分配包装（１０）。
【請求項１７】
前記分配基材始動領域（２４０）および前記裏あて基材始動領域（４３０）が、およそ０．１２平方インチからおよそ０．５平方インチである、請求項１６に記載の子供に対する安全性がある薬剤の貯蔵および分配包装（１０）。
【請求項１８】
薬剤（Ｍ）を収容する子供に対する安全性がある薬剤の貯蔵および分配包装（１０）であって、
（ａ）ブリスタ部分（１００）であって、
（ｉ）基材層周縁部（１２０）、基材層外側面（１３０）、および基材層内側面（１４０）を有する基材層（１１０）と、
（ｉｉ）ブリスタ層周縁部（１６０）、ブリスタ層外側面（１７０）、ブリスタ層内側面（１８０）を有し、その中に形成されたブリスタ周縁部（１９６）を有する物品受けブリスタ（１９０）を備え、前記物品受けブリスタ（１９０）が前記薬剤（Ｍ）を保持するように設計されたブリスタ層（１５０）とを有し、
（ｉｉｉ）前記基材層内側面（１３０）の表面積の少なくとも５パーセントが前記ブリスタ層内側面（１８０）に接合され、それによって前記薬剤（Ｍ）を前記物品受けブリスタ（１９０）内に密封する、ブリスタ部分（１００）と、
（ｂ）分配基材周縁部（２０１）、分配基材内側面（２１０）、および分配基材外側面（２２０）を有する分配基材（２００）であって、
（ｉ）前記物品受けブリスタ（１９０）の一部分が前記分配基材内側面（２１０）から前記分配基材（２００）を通って前記分配基材外側面（２２０）に延出するように、前記ブリスタ部分（１００）と協働するように構成される分配基材のブリスタ受け器（２３０）と、
（ｉｉ）前記分配基材（２００）と一体であり、（ａ）前記分配基材（２００）に前記分配基材始動領域（２４０）を固定し、その周りを前記分配基材始動領域（２４０）が旋回できるラインとして働く分配基材始動領域保持縁（２４４）である部分と、（ｂ）最初に前記剥離縁（２４３）を前記分配基材（２００）の残りの部分から剥離させる所定の大きさの力によって作用を受けるまで前記分配基材始動領域（２４０）を前記分配基材（２００）に固定する分配基材始動領域剥離縁（２４３）である部分とを備える分配基材始動領域周縁部（２４２）を有する、分配基材始動領域（２４０）と、
（ｃ）ブロック基材周縁部（３０１）、ブロック基材前面（３１０）、およびブロック基材背面（３２０）を有するブロック基材（３００）であって、ゲート自由縁（３４３）およびゲート保持縁（３４８）を備えるゲート周縁部（３４２）を有するゲート（３４０）を備えるブロック基材（３００）と、
（ｄ）裏あて基材周縁部（４０１）、裏あて基材内側面（４１０）、および裏あて基材外側面（４２０）を有する裏あて基材（４００）であって、
（ｉ）前記裏あて基材（４００）と一体であり、（ａ）前記裏あて基材（４００）に前記裏あて基材始動領域（４３０）を固定し、その周りを前記裏あて基材始動領域（４３０）が旋回できるラインとして働く裏あて基材始動領域保持縁（４３４）である部分と、（ｂ）最初に前記剥離縁（４３３）を前記裏あて基材（４００）の残りの部分から剥離させる所定の大きさの力によって作用を受けるまで前記裏あて基材始動領域（４３０）を前記裏あて基材（４００）に固定する裏あて基材始動領域剥離縁（４３３）である部分とを備える裏あて基材始動領域周縁部（４３２）を有する、裏あて基材始動領域（４３０）と、
（ｉｉ）物品分配領域周縁部（４４２）を有する物品分配領域（４４０）であって、前記ブリスタ部分（１００）と協働するように構成された物品分配領域（４４０）とを有するように形成された裏あて基材（４００）とを備え、
（ｅ）前記分配基材のブリスタ受け器（２３０）、前記物品受けブリスタ（１９０）、および前記物品分配領域（４４０）が実質的に整列するように、＃前記ブリスタ部分のブリスタ層（１５０）が前記分配基材内側面（２１０）に隣接し、前記ブロック基材前面（３１０）が前記ブリスタ部分の基材層（１１０）に隣接し、前記裏あて基材内側面（４１０）が前記ブロック基材背面（３２０）に隣接し、前記薬剤（Ｍ）の分配が、第１の力を前記ゲート（３４０）の一部分に加えることを必要とし、その結果前記ゲート自由縁（３４３）が摺動して前記ゲート保持縁（３４８）に向かって前記物品分配領域（４４０）を通過し、第２の力を前記物品受けブリスタ（１９０）に加えることにより前記薬剤（Ｍ）が前記基材層（１１０）を押し破り、前記ゲート（３４０）の移動によって形成された前記ブロック基材（３００）の開口を通過し、前記物品分配領域（４４０）を出るように、前記ゲート（３４０）が最初に前記物品分配領域（４４０）と前記物品受けブリスタ（１９０）との間に配置されて、前記薬剤（Ｍ）の意図しない分配を防止する、薬剤（Ｍ）を収容するための薬剤の貯蔵および分配包装（１０）。
【請求項１９】
前記ゲート（３４０）が、前記第１の力によって前記包装（１０）の平面から移動されたとき、前記ゲート（３４０）を折りたたみ促進特性（３５０）の周りで折りたたみを開始させる折りたたみ促進特性（３５０）を有し、それによって前記ゲート保持縁（３４８）の周りで前記物品受けブリスタ（１９０）から離れて容易に旋回される旋回突起（３５２）を形成し、前記物品受けブリスタ（１９０）を超えて前記ゲート自由縁（３４３）を引き、前記薬剤（Ｍ）を分配可能にする、請求項１８に記載の子供に対する安全性がある薬剤の貯蔵および分配包装（１０）。
【請求項２０】
前記ゲート（３４０）の前記部分に前記第１の力を加えることにより、前記ゲート（３４０）の一部分が前記分配基材始動領域（２４０）を通って延び、前記ゲート（３４０）が前記物品分配領域（４４０）へのアクセスを阻止しないように前記ゲート自由縁（３４３）を動かす、請求項１８に記載の子供に対する安全性がある薬剤の貯蔵および分配包装（１０）。
【請求項２１】
前記ゲート（３４０）の前記部分に前記第１の力を加えることにより、前記ゲート（３４０）の一部分が前記裏あて基材始動領域（４３０）を通って延び、前記ゲート（３４０）が前記物品分配領域（４４０）へのアクセスを阻止しないように前記ゲート自由縁（３４３）を動かす、請求項１８に記載の子供に対する安全性がある薬剤の貯蔵および分配包装（１０）。
【請求項２２】
前記第１の力を加えることにより、前記薬剤（Ｍ）が分配のために前記物品分配領域（４４０）を通過することができるように、前記裏あて基材分配領域（４４０）が前記薬剤（Ｍ）と協働するように寸法を決められた前記裏あて基材（４００）に形成された空隙を画成する、請求項１８に記載の子供に対する安全性がある薬剤の貯蔵および分配包装（１０）。
【請求項２３】
前記裏あて基材物品分配領域（４４０）が、前記裏あて基材（４００）の強度を選択的に低下させる分離ライン（４４４）を有する前記裏あて基材（４００）と一体の部分であり、それによって前記薬剤（Ｍ）が前記第２の力を受けた場合に、前記薬剤（Ｍ）が前記分離ライン（４４４）に沿って前記裏あて基材（４００）から前記物品分配領域（４４０）の一部分を離脱させることが可能になり、それによって前記薬剤（Ｍ）が分配のために前記物品分配領域（４４０）を通過可能にする、請求項１８に記載の子供に対する安全性がある薬剤の貯蔵および裏あて包装（１０）。
【請求項２４】
前記分離ライン（４４４）が実質的に前記物品分配領域周縁部（４４２）に配置された、請求項２３に記載の子供に対する安全性がある薬剤の貯蔵および分配包装（１０）。
【請求項２５】
前記ブロック基材（３００）および前記裏あて基材（４００）が、前記物品受けブリスタ（１９０）の前記薬剤（Ｍ）を押す人の指によって容易に破断できない材料および厚さで構成される、請求項１８に記載の子供に対する安全性がある薬剤の貯蔵および分配包装（１０）。
【請求項２６】
前記分配基材始動領域（２４０）および前記裏あて基材始動領域（４３０）が、人の指の先端の寸法と協働するように寸法を決められた、請求項１８に記載の子供に対する安全性がある薬剤の貯蔵および分配包装（１０）。
【請求項２７】
前記分配基材始動領域（２４０）および前記裏あて基材始動領域（４３０）が、およそ０．１２平方インチからおよそ０．５平方インチである、請求項２６に記載の子供に対する安全性がある薬剤の貯蔵および分配包装（１０）。
【請求項２８】
薬剤（Ｍ）を収容する薬剤の貯蔵および分配包装（１０）であって、
（ａ）ブリスタ部分（１００）であって、
（ｉ）基材層周縁部（１２０）、基材層外側面（１３０）、および基材層内側面（１４０）を有する基材層（１１０）と、
（ｉｉ）ブリスタ層周縁部（１６０）、ブリスタ層外側面（１７０）、ブリスタ層内側面（１８０）を有し、その中に形成されたブリスタ周縁部（１９６）を有する物品受けブリスタ（１９０）を備え、前記物品受けブリスタ（１９０）が前記薬剤（Ｍ）を保持するように設計されたブリスタ層（１５０）とを有し、
（ｉｉｉ）前記基材層内側面（１３０）の表面積の少なくとも５パーセントが前記ブリスタ層内側面（１８０）に接合され、それによって前記薬剤（Ｍ）を前記物品受けブリスタ（１９０）内に密封する、ブリスタ部分と、
（ｂ）分配基材周縁部（２０１）、分配基材内側面（２１０）、および分配基材外側面（２２０）を有する分配基材（２００）であって、
（ｉ）前記物品受けブリスタ（１９０）の一部分が前記分配基材内側面（２１０）から前記分配基材（２００）を通って前記分配基材外側面（２２０）に延出するように、前記ブリスタ部分（１００）と協働するように構成される分配基材のブリスタ受け器（２３０）と、
（ｉｉ）人の指の先端の寸法と協働するように寸法を決められ、前記分配基材（２００）と一体であり、（ａ）前記分配基材（２００）に前記分配基材始動領域（２４０）を固定し、その周りを前記分配基材始動領域（２４０）が旋回できるラインとして働く分配基材始動領域保持縁（２４４）である部分と、（ｂ）前記剥離縁（２４３）を前記分配基材（２００）の残りの部分から剥離させる所定の大きさの力によって作用を受けるまで最初に前記分配基材始動領域（２４０）を前記分配基材（２００）に固定する分配基材始動領域剥離縁（２４３）である部分とを備える分配基材始動領域周縁部（２４２）を有する、分配基材始動領域（２４０）とを有するように形成された分配基材（２００）と、
（ｃ）ブロック基材周縁部（３０１）、ブロック基材前面（３１０）、およびブロック基材背面（３２０）を有するブロック基材（３００）であって、前記ブロック基材（３００）がゲート自由縁（３４３）およびゲート保持縁（３４８）を含むゲート周縁部（３４２）を有するゲート（３４０）を備え、前記ゲート（３４０）が、前記第１の力によって前記包装（１０）の平面から移動されたとき、前記ゲート（３４０）を折りたたみ促進特性（３５０）の周りで折りたたみを開始させる折りたたみ促進特性（３５０）を有し、それによって前記ゲート保持縁（３４８）の周りで前記物品受けブリスタ（１９０）から離れて容易に旋回される旋回突起（３５２）を形成し、前記物品受けブリスタ（１９０）を超えて前記ゲート自由縁（３４３）を引き、前記薬剤（Ｍ）を分配可能にするブロック基材（３００）と、
（ｄ）裏あて基材周縁部（４０１）、裏あて基材内側面（４１０）、および裏あて基材外側面（４２０）を有する裏あて基材（４００）であって、
（ｉ）人の指の先端の寸法と協働するように寸法を決められ、前記裏あて基材（４００）と一体であり、（ａ）前記裏あて基材（４００）に前記裏あて基材始動領域（４３０）を固定し、その周りを前記裏あて基材始動領域（４３０）が旋回できるラインとして働く裏あて基材始動領域保持縁（４３４）である部分と、（ｂ）前記剥離縁（４３３）を前記裏あて基材（４００）の残りの部分から剥離させる所定の大きさの力によって作用を受けるまで最初に前記裏あて基材始動領域（４３０）を前記裏あて基材（４００）に固定する裏あて基材始動領域剥離縁（４３３）である部分とを備える裏あて基材始動領域周縁部（４３２）を有する、裏あて基材始動領域（４３０）と、
（ｉｉ）物品分配領域周縁部（４４２）を有する物品分配領域（４４０）であって、前記物品分配領域（４４０）が前記ブリスタ部分（１００）と協働するように構成され、前記物品分配領域（４４０）が、前記裏あて基材（４００）の強度を選択的に低下させるように実質的に前記物品分配領域周縁部（４４２）に配置された分離ライン（４４４）を有する前記裏あて基材（４００）の一体の部分であり、それによって前記薬剤（Ｍ）が前記第２の力を受けた場合に、前記分離ライン（４４４）に沿って前記裏あて基材（４００）から前記物品分配領域（４４０）の一部分を離脱することが可能になり、それによって前記薬剤（Ｍ）が分配のために前記物品分配領域（４４０）を通過可能になる、物品分配領域（４４０）とを有するように形成された裏あて基材（４００）と、
を備え、
（ｅ）前記分配基材のブリスタ受け器（２３０）、前記物品受けブリスタ（１９０）、および前記物品分配領域が（４４０）実質的に整列するように、前記ブリスタ部分のブリスタ層（１５０）が前記分配基材内側面（２１０）に隣接し、前記ブロック基材前面（３１０）が前記ブリスタ部分の基材層（１１０）に隣接し、前記裏あて基材内側面（４１０）が前記ブロック基材背面（３２０）に隣接し、前記薬剤（Ｍ）の分配が、第１の力を前記ゲート（３４０）の一部分に加えることを必要とし、その結果前記ゲート自由縁（３４３）が摺動して前記ゲート保持縁（３４８）に向かって前記物品分配領域（４４０）を通過し、第２の力を前記物品受けブリスタ（ｌ９０）に加えることにより前記薬剤（Ｍ）が前記基材層（１１０）を押し破り、前記ゲート（３４０）の移動によって形成された前記ブロック基材（３００）の開口を通過し、前記物品分配領域（４４０）を出るように、前記ゲート（３４０）が最初に前記物品分配領域（４４０）と前記物品受けブリスタ（１９０）との間に配置されて、前記薬剤（Ｍ）の意図しない分配を防止する、薬剤（Ｍ）を収容するための薬剤の貯蔵および分配包装（１０）。
【請求項２９】
前記ゲート（３４０）の前記部分に前記第１の力を加えることにより、前記ゲート（３４０）の一部分が前記分配基材始動領域（２４０）を通って延び、前記ゲート（３４０）が前記物品分配領域（４４０）へのアクセスを阻止しないように前記ゲート自由縁（３４３）を動かす、請求項２８に記載の子供に対する安全性がある薬剤の貯蔵および分配包装（１０）。
【請求項３０】
前記ゲート（３４０）の前記部分に前記第１の力を加えることにより、前記ゲート（３４０）の一部分が前記裏あて基材始動領域（４３０）を通って延び、前記ゲート（３４０）が前記物品分配領域（４４０）へのアクセスを阻止しないように前記ゲート自由縁（３４３）を動かす、請求項２８に記載の子供に対する安全性がある薬剤の貯蔵および分配包装（１０）。
【請求項３１】
前記ブロック基材（３００）および前記裏あて基材（４００）が、前記物品受けブリスタ（１９０）の前記薬剤（Ｍ）を押す人の指によって容易に破断できない材料および厚さで構成される、請求項２８に記載の子供に対する安全性がある薬剤の貯蔵および分配包装（１０）。
【発明の詳細な説明】
【技術分野】
【０００１】
本発明は、一般に薬剤包装に関し、より詳細には、剤形へのアクセスを制御する摺動ゲートタイプの構成要素を組み込む子供に対する安全性があり（child resistant）、かつ高齢者に対する利便性（senior-friendly）がある薬剤包装に関する。
【背景技術】
【０００２】
子供に対する安全性があり、かつ不正開封防止機能付であるが、その中の薬剤にアクセスするために、平均的な成人、ならびに年齢または医学的な虚弱により運動技能が低下した可能性のある成人が、薬剤包装を開封できるようにする薬剤包装が絶えず求められている。そのような包装は「子供に対する安全性があり、かつ高齢者に対する利便性がある」と呼ばれてきた。このタイプの包装の製造を経済的にする必要もある。
【０００３】
長年にわたり、様々な折りたたみ、はがし、破断、剥離、および／または引裂きの手順によってアクセス可能な多種多様な使い捨ての薬剤包装が示唆されてきた。これらの包装は、一般に、その中に薬剤が配置される空洞、パウチ、または「ブリスタ」を提供する様式で裏あて層に密封され、またはその他の方法で接合された、透明な最上層で形成されてきた。最上層および裏あて層は可撓性の包装材料、堅固な熱成形可能なプラスチック材料、ホイル（foil）、紙、薄層、またはその組み合わせで形成できる。そのような層の間に形成される薬剤キャビティは、包装の縁からそれらの中へ引き裂くことによってアクセスされ、その引裂きは開始のための切込みまたはスリットを設けることによって、または単にブリスタを薬剤が裏あて層を突き破るまで押すことによって促進でき、または促進できない。あるいは、これらのキャビティは、裏あて層を包装からはがしてキャビティを露出させ、またはプッシュスルーの下方層を露出させることによって、アクセスできる。その他の例では、裏あて層はブリスタ内の薬剤が裏あて層に押し付けられたときに破断できるホイルで作製される。一般に、これらの包装は不正開封防止機能付であるが、一般に子供に対する安全性がない。その他の薬剤包装は、薬剤にアクセスするために、最上面から底面に剥離するなんらかの形式を必要とする剥離を使用する。これらのタイプの薬剤包装のいくつかの例には、特許文献１、特許文献２、特許文献３、特許文献４、特許文献５、および特許文献６が含まれる。
【０００４】
剥離を使用する子供に対する安全性のある薬剤包装は、しばらくの間使用されてきたが、運動技能が十分にない多くの人々、または手が震える人は、そのような包装での薬剤に容易にアクセスすることができない。これは、薬剤および薬剤包装が小さい場合に特に問題になる恐れがある。さらに、薬剤にアクセスするために引き裂かれて開封するように設計された多くの薬剤包装がある。引き裂かれるように設計された多くの薬剤包装は、剥離のために設計されたものと同じ問題を抱え、すなわちそれらは運動技能が低下した人が開封するのが困難であり、または高い度合いの子供に対する安全性を示さない。
【特許文献１】米国再発行特許発明第２９，７０５号明細書
【特許文献２】米国特許第３，９４１，２４８号明細書
【特許文献３】米国特許第４，２４３，１４４号明細書
【特許文献４】米国特許第４，９８８，００４号明細書
【特許文献５】米国特許第５，０４６，６１８号明細書
【特許文献６】米国特許第５，３５８，１１８号明細書
【発明の開示】
【発明が解決しようとする課題】
【０００５】
成人には開封が比較的容易であり、その上子供に対する安全性がある薬剤包装が求められる。さらに、包装は経済性を保つように、特別仕様の機械を導入する必要なく製造することが容易でなくてはならない。本発明は、挟みつけおよび剥離などの優れた運動技能を必要としない薬剤包装を生み出すことによってこれらの要求を実現した。本発明は、使用者が包装を開封するのに必要なシーケンスを認識すると開封が比較的容易であるが、その他のどのような方法でも開封が極度に困難であり、それによって従来の薬剤包装の固有の問題のいくつかを回避する。
【課題を解決するための手段】
【０００６】
最も一般的な構成では、本発明は様々な機能によって最新技術を進歩させ、新しく、新奇な様式で従前のデバイスの欠点の多くを克服する。最も一般的な意味では、本発明は任意のいくつかの一般的に効果的な構成で従来技術の欠点および限界を克服する。本発明は、そのような可能性を実証し、新しく、新奇な様式で従来の方法の欠点の多くを克服する。
【０００７】
本発明の子供に対する安全性がある薬剤の貯蔵および分配包装は、形状または寸法に関係なく薬剤を収容するように設計される。包装は、ブリスタ部分およびブロック基材を備え、両方が分配（dispensing）基材と裏あて基材の間に挟持されている。これらの４つの主要な構成要素の構成は独特のものであり、薬剤にアクセスするのに特有の手順を実行する必要がある。必要な手順は成人が理解し遂行するのが容易であるが、ほとんどの子供が理解し遂行するのが困難であり、したがって高齢者に対する利便性があるままで以前に不可能であった子供に対する安全性の度合いを付与する。
【０００８】
ブリスタ部分は基部層およびブリスタ層を備える。ブリスタ層は、薬剤を保持するように設計された物品受けブリスタを備えるように形成される。基部層は、ホイルおよびポリエステルまたはその他の適切な子供に対する安全性があるホイルなどの材料の１つまたは複数の個別の層から構成できる。一般に、基部層内側面の表面積の少なくとも５パーセント、より好ましくは１０パーセント、最も好ましくは少なくとも１５パーセントが、ブリスタ層内側面に接合され、それによって物品受けブリスタの薬剤を密封する。物品受けブリスタまたはバブルに形成されるブリスタ層の領域は、基部層に接合されない。
【０００９】
分配基材は、分配基材のブリスタ受け器および分配基材始動領域を有するように形成される。分配基材のブリスタ受け器は、物品受けブリスタの一部分が分配基材を通って延出するように、ブリスタ部分と協働するように構成される。分配基材始動領域は力を裏あて基材に伝達するのに使用できる領域またはブロック基材の一部分が通過できる領域である。
【００１０】
ブロック基材はゲート自由縁およびゲート保持縁を有するゲートを備える。ゲートは全体的に、辺のうちの３つが周囲のブロック基材から自由になっている矩形であり、ゲート保持縁として呼ばれる第４の辺は周囲のブロック基材に連結され、または一体になっている。ゲートは、最初にゲートの一部分が物品受けブリスタを覆いまたは阻止するように配置される。したがって、ゲートは物品受けブリスタから薬剤を取り出すために、そこから離れて移動または摺動されなければならない。
【００１１】
裏あて基材は、裏あて基材の始動領域および物品分配領域を有するように形成される。裏あて基材始動領域は、すてに論じた分配基材始動領域と同一であることができる。物品の分配領域は、ブリスタ部分と協働するように構成される。言い換えれば、物品受けブリスタおよび物品分配領域は、薬剤が物品受けブリスタから取り出され、ゲートがそこから離れた場合に薬剤が物品分配領域を通過できるように全体的に整列しなければならない。
【００１２】
包装の様々な要素の組立ておよび向きは、包装を開封するために必要な所定の動作のシーケンスを達成するために所望の機能を付与する。包装から薬剤を分配するためには、第１の力をゲートの一部分に加えることが必要であり、その結果ゲート自由縁が摺動してゲート保持縁に向かって物品分配領域を通過する。一般に、第１の力は人の指の先端によって加えられ、親指が最も可能性が大きい。第１の力は包装の裏あて基材側から加えることができ、またはその代わりに包装の分配基材側から加えることができる。第１の力は、ゲートの一部分を分配基材の始動領域または裏あて基材の始動領域から押し出すのに十分に大きいだけでよい。ゲートは、包装から垂直に押されなければならない距離を最小限に抑える、折りたたみ促進特性を組み込むことができる。
【００１３】
したがって、
（ａ）ブリスタ部分であって、
（１）基材層周縁部、基材層外側面、および基材層内側面を有する基材層と、
（２）ブリスタ層周縁部、ブリスタ層外側面、ブリスタ層内側面を有し、その中に形成されたブリスタ周縁部を有する物品受けブリスタを備え、物品受けブリスタが薬剤を保持するように設計されたブリスタ層と、
を有し
（３）基材層内側面の表面積の少なくとも５パーセントがブリスタ層内側面に接合され、それによって薬剤を物品受けブリスタ内に密封する、ブリスタ部分と
（ｂ）分配基材周縁部、分配基材内側面、分配基材外側面を有する分配基材であって、
（１）物品受けブリスタの一部分が分配基材内側面から分配基材を通って分配基材外側面に延出するように、ブリスタ部分と協働するように構成される分配基材のブリスタ受け器と、
（２）分配基材始動領域とを有するように形成される分配基材と、
（ｃ）ブロック基材周縁部、ブロック基材前面、およびブロック基材背面を有するブロック基材であって、ゲート自由縁およびゲート保持縁を備えるゲート周縁部を有するゲートを備えるブロック基材と、
（ｄ）裏あて基材周縁部、裏あて基材内側面、および裏あて基材外側面を有する裏あて基材であって、
（１）裏あて基材の始動領域と
（２）物品分配領域周縁部を有する物品分配領域であって、ブリスタ部分と協働するように構成された物品分配領域とを有するように形成された裏あて基材とを備え、
（ｅ）分配基材のブリスタ受け器、物品受けブリスタ、および物品分配領域が実質的に整列するように、ブリスタ部分のブリスタ層が分配基材内側面に隣接し、ブロック基材前面がブリスタ部分の基材層に隣接し、裏あて基材内側面がブロック基材背面に隣接し、薬剤の分配が、ゲート第１の力をゲートの一部分に加えることを必要とし、その結果ゲート自由縁が摺動してゲート保持縁に向かって物品分配領域を通過し、第２の力を物品受けブリスタに加えることにより薬剤が基材層を押し破り、ゲートの移動によって形成されたブロック基材の開口を通過し、物品分配領域を出るように、ゲートが最初に物品分配領域と物品受けブリスタとの間に配置されて、薬剤の意図しない分配を防止する、薬剤を収容するための薬剤の貯蔵および分配包装が開示される。
【００１４】
したがって、薬剤を収容するための薬剤の貯蔵および分配包装がさらに開示され、その包装には、
（ａ）ブリスタ部分であって、
（１）基材層周縁部、基材層外側面、および基材層内側面を有する基材層と、
（２）ブリスタ層周縁部、ブリスタ層外側面、およびブリスタ層内側面を有し、ブリスタ周縁部を有する物品受けブリスタを含む、ブリスタ層であって、物品受けブリスタが薬剤を保持するように設計されるブリスタ層とを有するブリスタ部分と、
（３）基材層内側面の表面積の少なくとも５パーセントが、ブリスタ層内側面に接合され、それによって薬剤を物品受けブリスタ内に密封し、
（ｂ）分配基材周縁部、分配基材内側面、および分配基材外側面を有する分配基材であって、分配基材が、
（１）物品受けブリスタの一部分が分配基材内側面から分配基材を通って分配基材外側面に延出するように、ブリスタ部分と協働するように構成される分配基材のブリスタ受け器と、
（２）分配基材と一体の人の指の先端の寸法と協働するように寸法を決められ、（ａ）分配基材に分配基材始動領域を固定し、その周りを分配基材始動領域が旋回できるラインとして働く分配基材始動領域保持縁である部分と、（ｂ）最初に剥離縁（breakaway edge）を分配基材の残りの部分から剥離させる（release）所定の大きさの力によって作用を受けるまで分配基材始動領域を分配基材に固定する分配基材始動領域剥離縁である部分とを備える分配基材始動領域周縁部を有する分配基材始動領域と、
（ｃ）ブロック基材周縁部、ブロック基材前面、ブロック基材前面、およびブロック基材背面を有するブロック基材であって、ブロック基材はゲート自由縁およびゲート保持縁を含むゲート周縁部を有するゲートを備え、ゲートは、ゲートが第１の力によって包装の平面から移動されたとき、ゲートを折りたたみ促進特性の周りで折りたたみを開始させる折りたたみ促進特性を有し、それによってゲート保持縁の周りで物品受けブリスタから離れて容易に旋回される旋回突起を形成し、物品受けブリスタを超えてゲート自由縁を引き、薬剤を分配可能にする。
（ｄ）裏あて基材周縁部、裏あて基材内側面、および裏あて基材外側面を有する裏あて基材であって、裏あて基材が、
（１）裏あて基材と一体の人の指の先端の寸法と協働するように寸法を決められ、（ａ）裏あて基材に裏あて基材始動領域を固定し、その周りを裏あて基材始動領域が旋回できるラインとして働く裏あて基材始動領域保持縁である部分と、（ｂ）最初に剥離縁を裏あて基材の残りの部分から剥離させる所定の大きさの力によって作用を受けるまで裏あて基材始動領域を裏あて基材に固定する裏あて基材始動領域剥離縁である部分とを備える裏あて基材始動領域周縁部を有する裏あて基材始動領域と、
（２）物品分配領域周縁部を有する物品分配領域であって、物品分配領域はブリスタ部分と協働するように構成され、物品分配領域は、裏あて基材の強度を選択的に低下させるように物品分配領域周縁部に実質的に配置された分離ラインを有する裏あて基材の一体の部分であり、それによって薬剤が第２の力を受けた場合に分離ラインに沿って裏あて基材から物品分配領域の一部分を離脱させることが可能になり、それによって薬剤が分配のために物品分配領域を通過可能になる物品分配領域とを有するように形成された裏あて基材と、を備え、
（ｅ）分配基材のブリスタ受け器、物品受けブリスタ、および物品分配領域が実質的に整列するように、ブリスタ部分のブリスタ層が分配基材内側面に隣接し、ブロック基材前面がブリスタ部分の基材層に隣接し、裏あて基材内側面がブロック基材背面に隣接し、薬剤の分配が、ゲート第１の力をゲートの一部分に加えることを必要とし、その結果ゲート自由縁が摺動してゲート保持縁に向かい、物品分配領域を通過し、第２の力を物品受けブリスタに加えることにより薬剤が基材層を押し破り、ゲートの移動によって形成されたブロック基材の開口を通過し、物品分配領域を出るように、ゲートが最初に物品分配領域と物品受けブリスタとの間に配置されて、薬剤の意図しない分配を防止する。
【００１５】
本発明の様々な目的および利点は、本発明のいくつかの実施形態を明記する添付の図面と共に見れば、以下の詳細な説明から明らかになる。
【００１６】
以下の特許請求の範囲に示すように本発明の範囲を限定せずに、次に図面および図を参照する。
【発明を実施するための最良の形態】
【００１７】
本発明の子供に対する安全性があるブリスタの、薬剤の貯蔵および分配包装は、最新技術の大きな進歩を可能にする。装置の好ましい実施形態は、これを従前に不可能であり、独特の新奇な様式で構成され、好ましく望ましい能力を実証する要素の新しく新奇な配列によって達成する。図面と関連して以下に明記される詳細な説明は、本発明の現在好ましい実施形態の説明として意図されたに過ぎず、本発明が構成または利用できる唯一の形式を表すために意図されたものではない。説明は、例示の実施形態と関連して本発明を実施する設計、機能、手段、および方法を明記する。しかし、同じまたは等価の機能および特徴が、本発明の趣旨および範囲内に包含されるようにも意図される、異なる実施形態によって達成できることを理解されたい。
【００１８】
図から、本発明の子供に対する安全性がある薬剤の貯蔵および分配包装（１０）が、それには限定されないが円形錠剤、卵形錠剤、長円形カプセル、カプレットなどを含む形状に関係ない薬剤（Ｍ）を収容するように設計される。図１で分かるように、包装（１０）は、ブリスタ部分（１００）、分配基材（２００）、ブロック基材（３００）、および裏あて基材（４００）を備える。これらの４つの主要な構成要素は、薬剤（Ｍ）にアクセスするための特定の手順の実行を必要とする独特の様式で組み立てられ、それによって高齢者に対する利便性があるまま従来には不可能であった子供に対する安全性の度合いを付与する。動作のシーケンスが説明できるように、４つの主要な構成要素の特性を手短に述べる。
【００１９】
第１に、ブリスタ部分（１００）が基材層（１１０）およびブリスタ層（１５０）を含む。基材層（１１０）は、図１および１４に表示された基材層周縁部（１２０）、基材層外側面（１３０）、および基材層内側面（１４０）を有する。同様に、ブリスタ層（１５０）は、同様に図１および１５に表示されたブリスタ層周縁部（１６０）、ブリスタ層外側面（１７０）、およびブリスタ層内側面（１８０）を有する。ブリスタ層（１５０）は、図６に最もよく示されるブリスタ周縁部（１９６）を有する物品受けブリスタ（１９０）を備えるように形成される。物品受けブリスタ（１９０）は側壁（１９２）および端部壁（１９４）と共に形成され、図１６に示される薬剤（Ｍ）を保持するように設計される。
【００２０】
ブリスタ層（１５０）は好ましくは、製薬等級の（pharmaceutical grade）ＰＶＣまたはプラスチック、ポリプロピレン、ポリエチレン、スチレン、冷間成形されたホイル、または包装用のその他の適切な材料などのその他の熱可塑性材料から作製される。物品受けブリスタ（１９０）は、ブリスタ部分を形成するための真空技術によってブリスタ層（１５０）の材料が引き延ばされてキャビティにされる、熱成形プロセスによって形成できる。好ましい実施形態では、ブリスタ層（１５０）に適した材料のシートが所定の時間の間、加熱要素に曝される。次いでこのシートは成形ステーションに捕らえられ、そこで真空および圧力の両方に曝される。このプロセスの間、材料は物品受けブリスタ（１９０）を形成するために整合した金属プラグを介して機械的に補助されてブリスタキャビティにすることもできる。別の実施形態では、物品受けブリスタ（１９０）は冷間成形ホイルおよび冷間成形包装プロセスを使用することによって形成できる。本明細書では、「ブリスタ包装」は、冷間成形ホイルによって、冷間成形包装プロセスを使用して作製された薬剤包装を含む。基部層（１１０）は、ホイルおよびポリエステルまたはその他の適切なホイルなどの１つまたは複数の材料の個別の層から構成できる。基材層（１１０）は一般に、複数の層から構成されるが、任意の材料で作製できる。
【００２１】
再び図１３〜１７を参照すると、基材層内側面（１３０）の表面積の少なくとも５パーセント、より好ましくは少なくとも１０パーセントがブリスタ層内側面（１８０）に接合され、それによって薬剤（Ｍ）を物品受けブリスタ（１９０）に密封し、基材層の面の９０パーセントまでがブリスタ層内側面に接合できる。ブリスタ層（１５０）は熱融着、基材層（１１０）に予め塗布された熱活性化接着剤などの接着剤もしくは溶剤型接着剤、高周波もしくは音波融着、またはその他の適切な手段によって、基材層（１１０）に接合できる。物品受けブリスタ（１９０）に形成されるブリスタ層（１５０）の領域は、基部層（１００）に接合されない。ブリスタ層周縁部（１６０）は全体的に、基材層周縁部（１２０）に対応する。
【００２２】
第２に、再び図１〜６を参照すると、分配基材（２００）が分配基材周縁部（２０１）、分配基材内側面（２１０）、および分配基材外側面（２２０）を有する。分配基材（２００）は、分配基材ブリスタ受け器（２３０）および分配基材始動領域（２４０）を有するように形成される。分配基材ブリスタ受け器（２３０）は、物品受けブリスタ（１９０）の一部分が分配基材内側面（２１０）から分配基材外側面（２２０）に分配基材（２００）を通って延出するように、ブリスタ部分（１００）と協働するように構成される。これは図２に最もよく示され、そこでブリスタ部分（１００）が装着位置にされるとき、物品受けブリスタ（１９０）を下側に向けて示され、物品受けブリスタ（１９０）が分配基材ブリスタ受け器（２３０）内に下ろされる。組立てプロセスの残りが図３〜５に示され、図６に終結し、物品受けブリスタ（１９０）が分配基材ブリスタ受け器（２３０）を通って突出する。
【００２３】
分配基材始動領域（２４０）は後により詳細に論じられるが、この時点では始動領域（２４０）はブロック基材（３００）に力を伝達するために使用できる領域、またはブロック基材（３００）の一部分が通過できる領域として考える必要があるに過ぎない。分配基材始動領域（２４０）は、（ａ）単に分配基材（２００）に形成され、それによってブロック基材（３００）にアクセスできるようにする空隙、（ｂ）分配基材外側面（２２０）から離れて回転するフラップ、（ｃ）（ｂ）と同様であるが、フラップを分配基材（２００）から剥離させる所定の力が働くまでフラップを分配基材（２００）に取り付ける手段を含むフラップ、または（ｄ）領域（２４０）を打ち抜く所定の力によって作用されるまで、ブロック基材（３００）を遮蔽する、分配基材（２００）に取り付けられた打ち抜き領域であることができる。
【００２４】
第３に、ブロック基材（３００）はブロック基材周縁部（３０１）、ブロック基材内側前面（３１０）、およびブロック基材背面（３２０）を有する。図３で分かるように、ブロック基材（３００）は、ゲート自由縁（３４３）およびゲート保持縁（３４８）を備えるゲート周縁部（３４２）を有するゲート（３４０）を備える。ゲート（３４０）は全体的に、辺のうちの３つが周囲のブロック基材（３００）から自由になっている矩形の形状であり、ゲート保持縁（３４８）として呼ばれる第４の辺は周囲のブロック基材（３００）に連結され、または一体になっている。ゲート自由縁（３４３）に加えて、その他の２つの自由辺は図４に示される左縁（３４４）および右縁（３４５）を備える。ゲート（３４０）は、最初にゲート（３４０）の一部分が物品受けブリスタ（１９０）を覆いまたは阻止するように配置される。したがって、ゲート（３４０）は、薬剤（Ｍ）を物品受けブリスタ（１９０）から取り出すためにそこから離れて移動または摺動されなければならない。ゲート（３４０）の機能は、後により詳細に説明される。
【００２５】
ブロック基材（３００）は材料の一体の片であることができ、または図１〜５で分かるように分配基材（２００）と同じ材料の片から形成できる。１つの特定の実施形態では、ブロック基材（３００）は、物品受けブリスタ（１９０）の薬剤（Ｍ）を押す人の指によって容易に引き裂かれ、破断され、またはその他の様式で傷つけることができない材料および厚さで構成される。材料は紙もしくはその他の繊維製品、プラスチック、ホイル、または複合材料であることができる。
【００２６】
第４に、続いて図１〜６を参照すると、包装（１０）は、図８にのみ表示される、裏あて基材周縁部（４０１）、裏あて基材内側面（４１０）、および裏あて基材外側面（４２０）を有する裏あて基材（４００）を備える。裏あて基材（４００）は、裏あて基材の始動領域（４３０）および物品分配領域（４４０）を有するように形成される。裏あて基材の始動領域（４３０）は、すてに論じた分配基材始動領域（２４０）と同一であることができる。分配基材始動領域（２４０）と同様に、裏あて基材始動領域は本明細書に後により詳細に論じられ、この時点では始動領域（２４０）はブロック基材（３００）に力を伝達するために使用できる領域、またはブロック基材（３００）の一部分が通過できる領域と考える必要があるに過ぎない。裏あて基材始動領域（４３０）は、（ａ）単に裏あて基材（４００）に形成され、それによってブロック基材（３００）にアクセスできるようにする空隙、（ｂ）裏あて基材外側面（４２０）から離れて回転するフラップ、（ｃ）（ｂ）と同様であるが、フラップを裏あて基材（４００）から剥離させる所定の力が働くまでフラップを裏あて基材（４００）に取り付ける手段を含むフラップ、または（ｄ）領域（４３０）を打ち抜く所定の力によって作用されるまで、ブロック基材を遮蔽する、裏あて基材（４００）に取り付けられた打ち抜き領域であることができる。
【００２７】
図３で分かるように、物品分配領域（４４０）は物品分配領域周縁部（４４２）を有し、ブリスタ部分（１００）と協働するように構成される。言い換えれば、物品受けブリスタ（１９０）および物品分配領域（４４０）は、薬剤（Ｍ）が物品受けブリスタ（１９０）から取り出され、ゲート（３４０）がそこから離れた場合に薬剤（Ｍ）が物品分配領域（４４０）を通過できるように、全体的に整列しなければならない。１つの実施形態では、図１８および１９で分かるように、裏あて基材の物品分配領域（４４０）は、薬剤（Ｍ）が分配のために物品分配領域（４４０）を通過できるように、薬剤（Ｍ）と協働するために寸法を決められた裏あて基材（４００）に形成される空隙を画定する。
【００２８】
あるいは、裏あて基材の物品分配領域（４４０）は、図５で分かる、裏あて基材（４００）の強度を選択的に低下させる、分離ライン（４４４）を有する裏あて基材（４００）の一体の部分であることができ、それによって薬剤（Ｍ）が第２の力を受けた場合に、分離ライン（４４４）に沿って裏あて基材（４００）のない物品分配領域（４４０）の一部分を破断できるようにし、そうして薬剤（Ｍ）が分配のために物品分配領域（４４０）を通過できる。別の実施形態では、分離ライン（４４４）が実質的に物品分配領域周縁部（４４２）に配置される。分離ライン（４４４）は１つの連続的なライン（４４４）である必要はなく、１つまたは複数の打抜き、穿孔、窪み、切取り線、および脆弱化された破断線を含むことができる。ブロック基材（３００）と同様に、１つの特定の実施形態では、裏あて基材（４００）が、物品受けブリスタ（１９０）の薬剤（Ｍ）を押す人の指によって引き裂かれ、破断され、またはその他の様式で傷つけることができない材料および厚さで構成される。材料は紙もしくはその他の繊維製品、プラスチック、ホイル、または複合材料であることができる。
【００２９】
包装（１０）の様々な要素の組立ておよび向きは、包装（１０）を開封するために必要な所定の動作のシーケンスを達成するために所望の機能を付与する。一般的な組立てプロセスが図１〜６に示される。図は分配基材（２００）、ブロック基材（３００）、および裏あて基材（４００）を複数回折りたたまれた単一の連続的な基材から形成されたものとして示すが、当分野の技術者は、これらの構成要素のそれぞれが包装（１０）を形成するために共に接合される分離した個々の要素であることができることを理解するであろう。しかし、図に示された連続的な基材の実施形態は、その高速の形成および組立て特性によって好ましいものである。そのような特性には、ゲート（３４０）、物品分配領域（４４０）、および始動領域（２４０、４３０）が、所望の動作のシーケンスを達成するために協働するために互いに関して確実かつ正確に配置されるように、多様な基材（２００、３００、４００）の間に所定の折りたたみ位置を有することが含まれる。
【００３０】
ブリスタ部分（１００）は、分配基材（２００）とブロック基材（３００）の間に配置される。実際には、ブリスタ部分のブリスタ層（１５０）が分配基材内側面（２１０）に隣接し、ブロック基材前面（３１０）がブリスタ部分の基材層（１１０）に隣接する。図２で分かるように、ブリスタ部分（１００）が分配基材（２００）に近接され、物品受けブリスタ（１９０）が分配基材ブリスタ受け器（２３０）と一致するように配置される。
【００３１】
ブリスタ部分（１００）が定位置になった後に、ブロック基材（３００）がブリスタ部分（１００）と接触される。図３および４の実施形態では、ブロック基材（３００）が、ブリスタ部分（１００）に対して正確な位置に単に回転される。図４で分かるように、各ゲート（３４０）は、物品受けブリスタ（１９０）を閉鎖している基材層（１１０）の一部分を覆う。ゲート（３４０）は、薬剤（Ｍ）が不意に分配されるのを防止するために、最初に物品分配領域（４４０）と物品受けブリスタ（１９０）の間に配置される。さらに、ゲート（３４０）の幅は、後に論じられるように、ゲート（３４０）の一部分が始動領域（２４０）を通して送ることができるように、分配基材始動領域（２４０）の幅よりも少ない。
【００３２】
次いで、ブロック基材（３００）が定位置で、包装（１０）を基本的に閉鎖するように裏あて基材（４００）が定位置にされる。図１〜６の実施形態では、この位置決めはブロック基材（３００）とブリスタ部分（１００）を覆うために、裏あて基材（４００）を折りたたむことを伴うだけである。図で分かるように、分配基材周縁部（２０１）および裏あて基材周縁部（４０１）は、裏あて基材の始動領域（４３０）に実質的に対称形状の分配基材始動領域（２４０）、および物品分配領域（４４０）に実質的に対称形状の分配基材ブリスタ受け器（２３０）と全体的に同一になる。様々な要素が、接着剤またはその他の材料の接合技術を介して共に個々に接合できるが、図１〜６の実施形態では、分配基材（２００）は全体的に裏あて基材（４００）のみに接合される。この実施形態では、ブリスタ部分（１００）は、分配基材ブリスタ受け器（２３０）および裏あて基材（４００）の動作によって定位置に保持され、物品受けブリスタ（１９０）が分配基材ブリスタ受け器（２３０）に維持されるのを確かにする。さらに、この実施形態では、ブロック基材（３００）が分配基材（２００）に結合することにより定位置に保持される。裏あて基材（４００）を分配基材（２００）に接合するすてに開示された方法により、基材（２００、４００）が人の指によって互いに剥離または分離するのを、不可能ではなくても極端に困難にすることが確実になることにより、子供に対する安全性がさらに向上する。組立ての１つの実施形態では、ブリスタが部品（３００）と（２００）の間で密封される。領域（３１０）は、ブリスタユニットの（最上部を覆う）基材層および同時に（２１０）に対して密封する。（２００）の始動領域は（３４８）から（３５０）の領域の間のゲートにも密封される。次に（４００）が（３２０）および（２１０）に密封される。（４００）の始動領域は、（３００）の反対側の（３４８）から（３５０）の領域の間のゲートにも密封される。この組立てによって、ゲートが２つの始動領域に取り付けられるようになり、ブリスタユニットは包装の外縁からアクセスできないように十分に保護されるようになる。
【００３３】
使用者はゲート（３４０）をヒンジ式に取り付けた後に平らに保つ代わりに、除去または引き剥がすことができる。ゲート保持縁（３４８）は、２つの始動領域（２４０、４３０）と共に包装から引き剥がすことができるように穿孔できる。
【００３４】
本出願の図は、６つの物品受けブリスタ（１９０）、およびしたがって６つのゲート（３４０）、６つの物品分配領域（４４０）、６つの分配基材始動領域（２４０）、および６つの裏あて基材の始動領域（４３０）を有する分配包装（１０）の実施形態を示すが、本発明はすてに挙げた要素のそれぞれのうちの１つを組み込むことのみが必要であるが、何百ものそのような要素を組み込むことができることに留意されたい。
【００３５】
次に、薬剤（Ｍ）を包装（１０）から分配するためには、第１の力をゲート（３４０）の一部分に加えることが必要であり、その結果、図７、８、１３、および１６で分かるように、ゲート自由縁（３４３）が摺動してゲート保持縁（３４８）に向かって物品分配領域（４４０）を通過する。一般に、第１の力は人の指の先端によって加えられ、親指が最も可能性が大きい。第１の力は、図８で分かるように、包装（１０）の裏あて基材（４００）側から加えることができ、またはその代わりに包装（１０）の分配基材（２００）側から加えることができる。第１の力は、領域（２４０、４３０）が単に基材（２００、４００）に単に隙間を作るとき、ゲート（３４０）の一部分を分配基材始動領域（２４０）または裏あて基材の始動領域（４３０）を通って移動させるのに十分に大きいだけでよく、それによってゲート自由縁（３４３）の所望の動きが生じる。しかし、すてに開示したように、いずれかまたは両方の領域（２４０、４３０）が、周囲の基材（２００、４００）に取り付けることができる、または取り付けることができないフラップを備える場合、第１の力はフラップを移動または離脱させるためにより大きくなくてはならない。
【００３６】
始動領域（２４０、４３０）およびゲート（３４０）は、薬剤（Ｍ）の経路を阻止しないようにゲート自由縁（３４３）が必要な距離を移動するまで、ユーザが単にゲート（３４０）の一部分を包装から移動させつづけ、またはゲート（３４０）が包装（１０）から垂直に押されなければならない距離を最小限に抑える、折りたたみ促進特性（３５０）をゲート（３４０）が組み込むことができるように設計できる。実際には、折りたたみ促進特性（３５０）は全体的に、第１の力が加えられると、ゲート（３４０）を所定の位置および様式で折りたたむ、ゲート（３４０）に適用される特徴である。特に、図８および１５で分かるように、折りたたみ促進特性（３５０）の１つの実施形態により、ゲート（３４０）が包装（１０）の平面から移動されるとすぐに、ゲート（３４０）が折りたたまれる。この折りたたみ動作は、次いで使用者が関連する物品受けブリスタ（１９０）から離れて旋回させることができる旋回突起（３５２）を形成し、それによって図９、１０、および１６で分かるように、ゲート自由縁（３４３）の所望の動作が生じる。成人がゲート（３４０）を移動させ、次いで包装（１０）に向かって突起を押すことによって単純に旋回される旋回突起（３５２）を形成する第１の力を加えるのが容易であり、したがって優れた運動技能を必要としないので、この実施形態は特に有効である。
【００３７】
次に、図１２、１６および１７で分かるように、ゲート（３４０）は物品受けブリスタ（１９０）から物品分配領域（４４０）への薬剤（Ｍ）の経路をこれ以上阻止せず、物品受けブリスタ（１９０）に第２の力を加えることにより薬剤（Ｍ）が基材層（１１０）を押し破り、ゲート（３４０）の移動によって形成されたブロック基材（３００）の開口を通過し、物品分配領域（４４０）を出る。
【００３８】
折りたたみ促進特性（３５０）は、図３および１３で最もよく分かる。折りたたみ促進特性（３５０）は、１つの連続的なラインである必要はなく、１つまたは複数の打抜き、穿孔、窪み、切取り線、および脆弱化された破断線を含むことができる。折りたたみ促進特性（３５０）は、図１３および１４で分かるように、分配基材始動領域保持縁（２４４）から最も遠い分配基材始動領域破断縁（２４３）の部分と実質的に一直線に並び、裏あて基材始動領域保持縁（４３４）から最も遠い裏あて基材始動領域破断縁（４３３）の部分と実質的に一直線に並ぶように、ゲート（３４０）に全体的に整列される。
【００３９】
ゲート（３４０）によって包装（１０）に付与された重要な寄与は、図１３〜１７に最もよく示される。第１に、図１３は使用者による任意の操作の前の包装（１０）の断面図を示す。第２に、図１４は分配基材（２００）からの分配基材始動領域（２４０）の破断、および裏あて基材（４００）からの裏あて基材の始動領域（４３０）の破断、ならびにゲート（４３０）の最初の移動および折りたたみ促進特性（３５０）に沿った折りたたみの形成を示す。次に、図１５はゲート自由縁（３４３）が薬剤（Ｍ）を部分的にのみ阻止するようにブロック基材のゲート自由縁（３４３）のさらなる移動を示す。この特定の実施形態では、第１の力がゲート（３４０）を包装（１０）から垂直にできる限り移動させた後でも、ブロック基材のゲート自由縁（３４３）の位置は薬剤（Ｍ）を阻止したままになる。したがって、次いで使用者は、薬剤（Ｍ）を越え、したがって物品分配領域（４４０）を超えてゲート自由縁（３４３）を完全に引くために、図１６で分かるように、存在する場合にはゲート（３４０）および始動領域（２４０、４３０）を回転または旋回させなければならず、それによって図１７で分かるように、物品受けブリスタ（１９０）に第２の力を加えることにより、薬剤（Ｍ）が基材層（１１０）を離脱して退出し、または物品分配領域（４４０）から離脱する。
【００４０】
すてに論じたように、分配基材始動領域（２４０）は、人の指によって第１の力を加えることによりゲート（３４０）の一部分が分配基材始動領域（２４０）を通って延出するように、ゲート（３４０）と協働するように寸法を決められた、図１８および１９で分かる分配基材（２００）に形成される空隙、および人の指の先端の平均的な寸法を単純に画成することができる。同様に、裏あて基材の始動領域（４３０）は、人の指によって第１の力を加えることによりゲート（３４０）の一部分が裏あて基材始動領域（４３０）を通って延出するように、ゲート（３４０）と協働するように寸法を決められた、裏あて基材（４００）に形成される空隙、および人の指の先端の平均的な寸法を単純に画成することができる。しかし、そのような実施形態では、ゲート（３４０）は、それをアクセスしないように最初に遮蔽するカバーを組み込む実施形態よりも不用意に移動される傾向がある。別の好ましい実施形態では、分配基材始動領域（２４０）および裏あて基材始動領域（４３０）は、広範囲な人の指の先端の寸法に対応するためにおよそ０．１２平方インチからおよそ０．５平方インチである。
【００４１】
図１〜１７に見られる別の実施形態では、始動領域（２４０、４３０）は、周囲の基材（２００、４００）と一体であり、それによってゲート（３４０）が不用意に接触しないように遮蔽し、包装（１０）の子供に対する安全性を向上させる。そのような実施形態では、第１の力が始動領域（２４０、４３０）を通してゲート（３４０）に伝達される。図７に見られるこの実施形態では、分配基材始動領域（２４０）は、始動領域（２４０）を周囲の分配基材（２００）に連結し、第１の力を加えたときに始動領域（２４０）が周りを回転するラインとして働く分配基材始動領域保持縁（２４４）を有する。同様に、図４、１４、および１５で分かるように、裏あて基材の始動領域（４３０）は、始動領域（４３０）を周囲の裏あて基材（４００）に接合し、第１の力を加えたときに始動領域（４３０）がその周りを回転するラインとして働く、裏あて基材始動領域保持縁（４３４）を有する。別の実施形態では、子供に対する安全性は領域（２４０、４３０）の周縁部（２４２、４３２）全体が隣接する基材（２４０、４３０）に少なくとも断続的に取り付けられることを確実にすることによってさらに向上する。そのような実施形態では、周縁部（２４２、４３２）は、図４および７に見られるように保持縁（２４４、４３４）だけでなく、対応する基材（２００、４００）の強度を選択的に低下させる破断縁（２４３、４３３）も備える。剥離縁（２４３、４３３）は、対応する領域（２４０、４３０）が最初に剥離縁（２４３、４３３）に沿って隣接する基材（２００、４００）から離脱しなければならないので、ゲート（３４０）を移動させるのに必要な第１の力の大きさを増加させる。剥離縁（２４３、４３３）は、１つの連続的なラインである必要はなく、１つまたは複数の打抜き、穿孔、窪み、切取り線、および脆弱化された破断線などを含むことができる。ブロック基材（３００）および裏あて基材（４００）の場合と同様に、１つの特定の実施形態では、分配基材（２００）は、人の指によって容易に引き裂かれ、破断され、またはその他の様式で傷つけることができない材料および厚さで構成される。材料は紙もしくはその他の繊維製品、プラスチック、ホイル、または複合材料であることができる。本発明の包装（１０）はさらに、物品受けブリスタ（１９０）の保護のための図７に見られるカバー基材（５００）を含むことができる。
【００４２】
本明細書に開示された好ましい実施形態の多くの変更、修正、変形が当分野の技術者には明らかになるが、それらはすべて本発明の趣旨および範囲内にあることが予期および企図される。たとえば、特定の実施形態を詳細に説明してきたが、当分野の技術者は前述の実施形態および変形は、様々なタイプの交代、およびまたは追加のあるいは代替の材料、要素の相対的な配置、寸法的な構成を組み込むように修正できることを理解するであろう。したがって、本発明のほんのわずかな変形が本明細書に説明されているが、本発明のそのような追加の修正および変形、ならびに等価物が添付の特許請求の範囲に定義される本発明の趣旨および範囲内にあることを理解されたい。
【産業上の利用可能性】
【００４３】
子供に対する安全性がある薬剤の貯蔵および分配包装は、長年感じられた子供に対する安全性があり、高齢者に対する利便性もある新奇な包装に対する要求に答える。包装は様々な形状の小さなまたは大きな薬剤に使用するためのものである。本発明は、薬剤が分配できる前に複数の段階の履行を必要とし、それにより開封するために剥離を使用する薬剤包装の固有の問題のいくつかを回避することを実施する包装を開示する。本発明の包装は成人が操作するのに比較的容易であるが子供が包装にアクセスするのは容易でない。
【図面の簡単な説明】
【００４４】
【図１】本発明による子供に対する安全性があり、かつ高齢者に対する利便性がある薬剤貯蔵および分配包装の１つの実施形態の斜視図である。
【図２】本発明による子供に対する安全性があり、かつ高齢者に対する利便性がある薬剤貯蔵および分配包装の１つの実施形態の斜視図である。
【図３】本発明による子供に対する安全性があり、かつ高齢者に対する利便性がある薬剤貯蔵および分配包装の１つの実施形態の斜視図である。
【図４】本発明による子供に対する安全性があり、かつ高齢者に対する利便性がある薬剤貯蔵および分配包装の１つの実施形態の斜視図である。
【図５】本発明による子供に対する安全性があり、かつ高齢者に対する利便性がある薬剤貯蔵および分配包装の１つの実施形態の斜視図である。
【図６】本発明による子供に対する安全性があり、かつ高齢者に対する利便性がある薬剤貯蔵および分配包装の１つの実施形態の斜視図である。
【図７】本発明による子供に対する安全性があり、かつ高齢者に対する利便性がある薬剤貯蔵および分配包装の１つの実施形態の斜視図である。
【図８】本発明による子供に対する安全性があり、かつ高齢者に対する利便性がある薬剤貯蔵および分配包装の１つの実施形態の斜視図である。
【図９】本発明による子供に対する安全性があり、かつ高齢者に対する利便性がある薬剤貯蔵および分配包装の１つの実施形態の斜視図である。
【図１０】本発明による子供に対する安全性があり、かつ高齢者に対する利便性がある薬剤貯蔵および分配包装の１つの実施形態の斜視図である。
【図１１】本発明による子供に対する安全性があり、かつ高齢者に対する利便性がある薬剤貯蔵および分配包装の１つの実施形態の斜視図である。
【図１２】本発明による子供に対する安全性があり、かつ高齢者に対する利便性がある薬剤貯蔵および分配包装の１つの実施形態の斜視図である。
【図１３】本発明による図６の断面線１３−１３に沿った子供に対する安全性があり、かつ高齢者に対する利便性がある薬剤の貯蔵および分配包装の１つの実施形態の断面図である。
【図１４】本発明による動作のシーケンスを示す、図１３の子供に対する安全性があり、かつ高齢者に対する利便性がある薬剤貯蔵および分配包装の１つの実施形態の断面図である。
【図１５】本発明による動作のシーケンスを示す、図１３の子供に対する安全性があり、かつ高齢者に対する利便性がある薬剤貯蔵および分配包装の１つの実施形態の断面図である。
【図１６】本発明による動作のシーケンスを示す、図１３の子供に対する安全性があり、かつ高齢者に対する利便性がある薬剤貯蔵および分配包装の１つの実施形態の断面図である。
【図１７】本発明による動作のシーケンスを示す、図１３の子供に対する安全性があり、かつ高齢者に対する利便性がある薬剤貯蔵および分配包装の１つの実施形態の断面図である。
【図１８】本発明による子供に対する安全性があり、かつ高齢者に対する利便性がある薬剤貯蔵および分配包装の１つの実施形態の斜視図である。
【図１９】本発明による動作のシーケンスを示す、図１３の子供に対する安全性があり、かつ高齢者に対する利便性がある薬剤貯蔵および分配包装の１つの実施形態の断面図である。
【符号の説明】
【００４５】
Ｍ    薬剤
１０    分配包装
１００    ブリスタ部分
１１０    基材層
１２０    基材層周縁部
１３０    基材層外側面
１４０    基材層内側面
１５０    ブリスタ層
１６０    ブリスタ層周縁部
１７０    ブリスタ層外側面
１８０    ブリスタ層内側面
１９０    物品受けブリスタ
１９２    側壁
１９４    端部壁
１９６    ブリスタ周縁部
２００    分配基材
２０１    分配基材周縁部
２１０    分配基材内側面
２２０    分配基材外側面
２３０    ブリスタ受け器
２４０    分配基材始動領域
２４２    分配基材始動領域周縁部
２４３    剥離縁
２４４    分配基材始動領域保持縁
３００    ブロック基材
３０１    ブロック基材周縁部
３１０    ブロック基材前面
３２０    ブロック基材背面
３４０    ゲート
３４２    ゲート周縁部
３４３    ゲート自由縁
３４４    左縁
３４５    右縁
３４８    ゲート保持縁
３５０    折りたたみ促進特性
３５２    旋回突起
４００    裏あて基材
４０１    裏あて基材周縁部
４１０    裏あて基材内側面
４２０    裏あて基材外側面
４３０    始動領域
４３２    基材始動領域周縁部
４３３    裏あて基材始動領域破断縁
４３４    裏あて基材始動領域保持縁
４４０    物品分配領域
４４２    物品分配領域周縁部
４４４    分離ライン
５００    カバー基材
【図１】
2009511207.tif 000003
【図２】
2009511207.tif 000004
【図３】
2009511207.tif 000005
【図４】
2009511207.tif 000006
【図５】
2009511207.tif 000007
【図６】
2009511207.tif 000008
【図７】
2009511207.tif 000009
【図８】
2009511207.tif 000010
【図９】
2009511207.tif 000011
【図１０】
2009511207.tif 000012
【図１１】
2009511207.tif 000013
【図１２】
2009511207.tif 000014
【図１３】
2009511207.tif 000015
【図１４】
2009511207.tif 000016
【図１５】
2009511207.tif 000017
【図１６】
2009511207.tif 000018
【図１７】
2009511207.tif 000019
【図１８】
2009511207.tif 000020
【図１９】
2009511207.tif 000021
【国際調査報告】
2009511207.tif 000022